(57)【要約】【課題】画像ずれ量の検出及び画像ずれ補正の頻度を減らすことによって、印刷物の生産性を向上させることができる画像形成装置を提供する。【解決手段】画像形成装置１は、被転写媒体の進行方向に並ぶ第１、第２、第３の画像形成ユニット２０Ｋ，２０Ｙ，２０Ｍ，２０Ｃと、被転写媒体上に形成された補正用パターンを検出する検出部２８と、検出部２８の検出結果に基づいて行われる画像ずれ補正を制御する制御部８１とを有し、制御部８１は、第１の画像形成ユニット２０Ｋと第３の画像形成ユニット２０Ｃとによって形成された補正用パターン間の画像ずれ量が所定値未満である場合は、画像ずれ補正を実行せず、画像ずれ量が所定値以上である場合は、第２の画像形成ユニット２０Ｙ，２０Ｍによる補正用パターンの形成及び制御部８１による画像ずれ補正を実行する。【選択図】図８
2017211522.tif 000002
【特許請求の範囲】
【請求項１】
被転写媒体上に第１の現像剤で画像を形成する第１の画像形成ユニットと、
前記被転写媒体の進行方向における前記第１の画像形成ユニットの下流側に配置され、前記被転写媒体上に第２の現像剤で画像を形成する第２の画像形成ユニットと、
前記進行方向における前記第２の画像形成ユニットの下流側に配置され、前記被転写媒体上に第３の現像剤で画像を形成する第３の画像形成ユニットと、
前記第１の画像形成ユニット、前記第２の画像形成ユニット、及び前記第３の画像形成ユニットによって前記被転写媒体上に形成された前記画像である補正用パターンを検出する検出部と、
前記検出部の検出結果に基づいて行われる画像ずれ補正を制御する制御部と
を有し、
前記制御部は、
前記第１の画像形成ユニットと前記第３の画像形成ユニットとによって形成された補正用パターン間の画像ずれ量が所定値未満である場合は、前記第２の画像形成ユニットによる補正用パターンの形成及び前記制御部による前記画像ずれ補正を実行せず、
前記第１の画像形成ユニットと前記第３の画像形成ユニットとによって形成された補正用パターン間の画像ずれ量が前記所定値以上である場合は、前記第２の画像形成ユニットによる補正用パターンの形成及び前記制御部による前記画像ずれ補正を実行する
ことを特徴とする画像形成装置。
【請求項２】
前記第１の画像形成ユニットの位置は、前記進行方向における最上流の位置であり、
前記第３の画像形成ユニットの位置は、前記進行方向における最下流の位置である
ことを特徴とする請求項１に記載の画像形成装置。
【請求項３】
開口部を有し、装置本体に装着された前記第１から第３の画像形成ユニットを収容する筐体と、
前記開口部を開状態及び閉状態のいずれかの状態にする開閉部材と、
を有し、
前記開状態の前記開口部は、前記第１の画像形成ユニットを前記開口部を通して前記装置本体に着脱可能にし、前記第３の画像形成ユニットを前記装置本体に着脱可能にしない形状を持つ
ことを特徴とする請求項１又は２に記載の画像形成装置。
【請求項４】
前記第１の現像剤は、ブラック現像剤であることを特徴とする請求項１から３のいずれか１項に記載の画像形成装置。
【請求項５】
前記制御部は、
前記第１の画像形成ユニット、前記第２の画像形成ユニット、及び前記第３の画像形成ユニットによって前記被転写媒体上に形成された前記補正用パターンに基づいて行われた画像ずれ補正の次の画像ずれ補正において、
前記第１の画像形成ユニット及び前記第３の画像形成ユニットによって前記被転写媒体上に形成された前記補正用パターンに基づく画像ずれ補正を行うように、前記第１の画像形成ユニット、前記第２の画像形成ユニット、及び前記第３の画像形成ユニットを制御する
ことを特徴とする請求項１から４のいずれか１項に記載の画像形成装置。
【請求項６】
前記第１の現像剤、前記第２の現像剤、及び前記第３の現像剤は、互いに異なる色の現像剤であり、前記画像ずれ補正は、色ずれ補正である
ことを特徴とする請求項１から５のいずれか１項に記載の画像形成装置。
【発明の詳細な説明】
【技術分野】
【０００１】
本発明は、複数の画像形成ユニットを有する画像形成装置に関する。
【背景技術】
【０００２】
一般に、カラー画像を印刷するカラー画像形成装置は、記録媒体の搬送方向（進行方向）に配列された複数の画像形成ユニットを有している。複数の画像形成ユニットで形成された複数色の現像剤像は、搬送される記録媒体上に順に転写される。その結果、記録媒体上には、互いに重なる複数色の現像剤像からなるカラー現像剤像が形成される。カラー現像剤像は、定着器によって記録媒体上に定着されて、カラー画像の形成が完了する。
【０００３】
このようなカラー画像形成装置は、例えば、電源投入の直後、連続印刷の途中、及び印刷終了の直後に、画像ずれ補正としての色ずれ補正を実行する（例えば、特許文献１参照）。ここで、「画像ずれ」とは、互いに重なる複数の現像剤像の位置の間にずれが生じることであり、「色ずれ」とは、互いに重なる複数色の現像剤像の位置の間にずれが生じることである。また、画像ずれ及び色ずれが発生する主な原因は、記録媒体を搬送する無端状の搬送ベルト（又は中間転写ベルト）が巻回されたローラの径が、装置内部の温度の変化に伴い増大又は縮小して記録媒体の搬送速度（又は中間転写ベルトの進行速度）が僅かに変化することである。また、「画像ずれ補正」とは、画像ずれ量を検出し、この画像ずれ量を小さくするように画像形成ユニットにおける動作を制御することであり、「色ずれ補正」とは、色ずれ量を検出し、この色ずれ量を小さくするように画像形成ユニットにおける動作を制御することである。
【先行技術文献】
【特許文献】
【０００４】
【特許文献１】特開２００４−６９８３４号公報
【発明の概要】
【発明が解決しようとする課題】
【０００５】
しかしながら、画像ずれ量（色ずれ量）の検出プロセスは、搬送ベルト又は中間転写ベルトなどの被転写媒体上に現像剤像である補正用パターンを形成するプロセスを含むので、このプロセスの実行期間中は、記録媒体への印刷動作が中断される。したがって、画像ずれ量（色ずれ量）の検出及び画像ずれ補正を高い頻度で実行すると、印刷物の生産性が低下するという課題がある。
【０００６】
そこで、本発明は、画像ずれ量の検出及び画像ずれ補正の頻度を減らすことによって、印刷物の生産性を向上させることができる画像形成装置を提供することを目的とする。
【課題を解決するための手段】
【０００７】
本発明の一態様に係る画像形成装置は、被転写媒体上に第１の現像剤で画像を形成する第１の画像形成ユニットと、前記被転写媒体の進行方向における前記第１の画像形成ユニットの下流側に配置され、前記被転写媒体上に第２の現像剤で画像を形成する第２の画像形成ユニットと、前記進行方向における前記第２の画像形成ユニットの下流側に配置され、前記被転写媒体上に第３の現像剤で画像を形成する第３の画像形成ユニットと、前記第１の画像形成ユニット、前記第２の画像形成ユニット、及び前記第３の画像形成ユニットによって前記被転写媒体上に形成された前記画像である補正用パターンを検出する検出部と、前記検出部の検出結果に基づいて行われる画像ずれ補正を制御する制御部とを有し、前記制御部は、前記第１の画像形成ユニットと前記第３の画像形成ユニットとによって形成された補正用パターン間の画像ずれ量が所定値未満である場合は、前記第２の画像形成ユニットによる補正用パターンの形成及び前記制御部による前記画像ずれ補正を実行せず、前記第１の画像形成ユニットと前記第３の画像形成ユニットとによって形成された補正用パターン間の画像ずれ量が前記所定値以上である場合は、前記第２の画像形成ユニットによる補正用パターンの形成及び前記制御部による前記画像ずれ補正を実行することを特徴とする。
【発明の効果】
【０００８】
本発明によれば、画像ずれ量の検出及び画像ずれ補正の頻度を減らすことによって、印刷物の生産性を向上させることができる。
【図面の簡単な説明】
【０００９】
【図１】本発明の実施の形態１に係る画像形成装置の概略構造を示す断面図である。
【図２】実施の形態１に係る画像形成装置の制御系の主要な構成を概略的に示すブロック図である。
【図３】（Ａ）及び（Ｂ）は、搬送ベルト上に印刷される３ブロックの補正用パターンを拡大して示す図であり、
【図４】（Ａ）及び（Ｂ）は、主走査方向での色ずれ量を検出するための補正用パターンの全体構成を示す図である。
【図５】（Ａ）及び（Ｂ）は、副走査方向での色ずれ量を検出するための補正用パターンを３ブロックだけ拡大して示す図である。
【図６】（Ａ）及び（Ｂ）は、副走査方向の補正用パターンの全体構成を示す図である。
【図７】（Ａ）及び（Ｂ）は、副走査方向での色ずれ量を検出する、別の補正用パターンを示す図である。
【図８】（Ａ）は、比較例の画像形成装置における連続印刷中の色ずれ補正制御を示すシーケンス図であり、（Ｂ）は、実施の形態１に係る画像形成装置１における連続印刷中の色ずれ補正制御を示すシーケンス図である。
【図９】実施の形態１に係る画像形成装置１の動作を示すフローチャートである。
【図１０】本発明の実施の形態２に係る画像形成装置の概略構成を示す断面図である。
【図１１】実施の形態２に係る画像形成装置の概略構成を示す斜視図である。
【図１２】実施の形態２に係る画像形成装置の概略構成を示す断面図である。
【発明を実施するための形態】
【００１０】
《１》実施の形態１
《１−１》実施の形態１の構成
図１は、本発明の実施の形態１に係る画像形成装置１の概略構造を示す断面図である。画像形成装置１は、例えば、電子写真方式を採用するカラープリンタである。
【００１１】
図１に示されるように、画像形成装置１は、用紙などの記録媒体Ｐ上に現像剤像（トナー像）を形成する複数の画像形成ユニット２０Ｋ，２０Ｙ，２０Ｍ，２０Ｃと、複数の画像形成ユニット２０Ｋ，２０Ｙ，２０Ｍ，２０Ｃに記録媒体Ｐを供給する媒体供給部（分離ローラ部）１０とを有している。また、画像形成装置１は、媒体供給部１０から供給された記録媒体Ｐを搬送する搬送部４０と、複数の画像形成ユニット２０Ｋ，２０Ｙ，２０Ｍ，２０Ｃの各々に対応するように配置された転写ローラ（転写部）５０Ｋ，５０Ｙ，５０Ｍ，５０Ｃと、記録媒体Ｐ上に転写された現像剤像（トナー像）を記録媒体Ｐ上に定着させる定着器６０とを有している。さらに、画像形成装置１は、定着器６０を通過した記録媒体Ｐを画像形成装置１の筐体２の外部のスタッカ３上に排出する媒体排出部（排紙部）７０を有している。図１には、記録媒体の搬送方向Ｄ１に配列された４台の画像形成ユニット２０Ｋ，２０Ｙ，２０Ｍ，２０Ｃが示されているが、画像形成装置１に備えられる画像形成ユニットの数は、３台以上であればよく、４台に限定されない。また、図１には、画像形成装置１がプリンタである場合が示されているが、本発明は、複写機、ファクシミリ装置、多機能周辺装置（ＭＦＰ）などのような他の装置にも適用可能である。
【００１２】
媒体供給部１０は、媒体カセット（用紙カセット）１１と、媒体カセット１１内に積載された記録媒体Ｐを１枚ずつ繰り出す分離ローラ（ホッピングローラ）１２とを有している。媒体カセット１１は、画像形成装置１の筐体２の内部に着脱自在である。媒体カセット１１内に積載されている記録媒体Ｐは、分離ローラ１２によって１枚ずつ取り出され、取り出された記録媒体Ｐは、搬送部４０の搬送ローラ対４１，４２によって画像形成ユニット２０Ｋ，２０Ｙ，２０Ｍ，２０Ｃと転写ローラ５０Ｋ，５０Ｙ，５０Ｍ，５０Ｃとの間の媒体搬送路を通過する。
【００１３】
また、搬送部４０は、走行可能に支持された無端状のベルトとしての搬送ベルト（転写ベルト）４３と、搬送ベルト４３が巻回された駆動ローラ４５と、駆動ローラ４５と対を成して搬送ベルト４３を張架するテンションローラ（従動ローラ）４４と、搬送ベルト４３上に残留したトナーを掻き落とすクリーニングブレード４６と、クリーニングブレード４６により掻き落とされたトナーを収容する廃棄トナータンク４７とを有している。また、搬送部４０は、駆動ローラ４５を回転させる機構として、例えば、モータ等のような駆動力発生源（後述する図２における駆動ローラ駆動部４５ａ）と、この駆動力発生源によって生成された駆動力を駆動ローラ４５に伝達するギア機構などのような駆動力伝達機構とを有している。
【００１４】
画像形成ユニット２０Ｋ，２０Ｙ，２０Ｍ，２０Ｃは、媒体搬送路に沿って被転写媒体としての記録媒体の搬送方向、すなわち、画像形成ユニット側における搬送ベルト４３の走行方向（図１におけるＤ１方向）の上流側から下流側に向けて並んで配置（タンデム配列）されている。画像形成ユニット２０Ｋ，２０Ｙ，２０Ｍ，２０Ｃは、使用されるトナーの色が異なる点以外は、互いに基本的に同じ構造を有する。なお、画像形成ユニット２０Ｋ，２０Ｙ，２０Ｍ，２０Ｃは、筐体２内において装置本体（画像形成装置１の主要構造）に着脱自在に装着されている。
【００１５】
画像形成ユニット２０Ｋ，２０Ｙ，２０Ｍ，２０Ｃは、通常の印刷動作を行うときには、走行方向Ｄ１に搬送される被転写媒体としての記録媒体Ｐ上にブラック（Ｋ）色のトナー像、イエロー（Ｙ）色のトナー像、マゼンタ（Ｍ）色のトナー像、及びシアン（Ｃ）色のトナー像をそれぞれ形成する。
【００１６】
また、実施の形態１においては、画像形成ユニット２０Ｋ，２０Ｙ，２０Ｍ，２０Ｃ（例えば、これらの内の画像ずれ量を検出する対象の２つの画像形成ユニット）は、画像ずれ量の検出のために、走行方向（進行方向）Ｄ１に走行する被転写媒体としての搬送ベルト４３上にブラック（Ｋ）色のトナー像である補正用パターン、イエロー（Ｙ）色のトナー像である補正用パターン、マゼンタ（Ｍ）色のトナー像である補正用パターン、及びシアン（Ｃ）色のトナー像である補正用パターンを形成する。搬送ベルト４３上に形成された各色のトナー像は、検出部２８を構成する光センサによって検出される。検出部２８は、画像形成ユニット２０Ｋ，２０Ｙ，２０Ｍ，２０Ｃのいずれかから搬送ベルト４３上に転写された現像剤像である補正用パターン間の位置ずれ量を検出するために使用される。また、検出部２８は、補正用パターンの主走査方向（搬送ベルト４３の走行方向Ｄ１に直交するＤ２方向）の位置を検出するためにも使用される。
【００１７】
また、筐体２内には、画像形成ユニット２０Ｋ，２０Ｙ，２０Ｍ，２０Ｃに対向するように、各色用の画像データに基づく露光を行う露光装置（露光ヘッド）である光ヘッド２３Ｋ，２３Ｙ，２３Ｍ，２３Ｃがそれぞれ備えられている。光ヘッド２３Ｋ，２３Ｙ，２３Ｍ，２３Ｃは、例えば、筐体２の上面カバーの内面に取り付けられている。実施の形態１においては、光ヘッド２３Ｋは、ブラック画像データに基づく露光を行うＬＥＤ（発光ダイオード）アレイユニットであり、光ヘッド２３Ｙは、イエロー画像データに基づく露光を行うＬＥＤアレイユニットであり、光ヘッド２３Ｍは、マゼンタ画像データに基づく露光を行うＬＥＤアレイユニットであり、光ヘッド２３Ｃは、シアン画像データに基づく露光を行うＬＥＤアレイユニットである。光ヘッド２３Ｋ，２３Ｙ，２３Ｍ，２３Ｃには、各色の画像データに基づく駆動信号がそれぞれ入力され、入力された駆動信号に応じた露光用の光を感光体ドラム２１Ｋ，２１Ｙ，２１Ｍ，２１Ｃにそれぞれ照射する。ただし、光ヘッド２３Ｋ，２３Ｙ，２３Ｍ，２３Ｃは、レーザー発光素子を光源とするレーザー走査部であってもよい。
【００１８】
一般に、画像形成ユニット２０Ｋ，２０Ｙ，２０Ｍ，２０Ｃは、イメージドラムユニットと、イメージドラムユニットに装着されたトナー補給用のトナーカートリッジ２７Ｋ，２７Ｙ，２７Ｍ，２７Ｃとから構成される。また、一般に、トナーカートリッジ２７Ｋ，２７Ｙ，２７Ｍ，２７Ｃの各々は、トナーカートリッジ２７Ｋ，２７Ｙ，２７Ｍ，２７Ｃに関する情報を記憶する半導体メモリなどの記憶部を有している。また、画像形成ユニット２０Ｋ，２０Ｙ，２０Ｍ，２０Ｃは、この記憶部に情報を書き込む及びこの記憶部から情報を読み取るリードライト部を有している。画像形成ユニット２０Ｋ，２０Ｙ，２０Ｍ，２０Ｃのイメージドラムユニットは、回転中心軸を中心にして回転可能に支持された像担持体としての感光体ドラム２１Ｋ，２１Ｙ，２１Ｍ，２１Ｃと、感光体ドラム２１Ｋ，２１Ｙ，２１Ｍ，２１Ｃの表面を一様に帯電させる帯電部材としての帯電ローラ２２Ｋ，２２Ｙ，２２Ｍ，２２Ｃとを有している。また、画像形成ユニット２０Ｋ，２０Ｙ，２０Ｍ，２０Ｃのイメージドラムユニットは、光ヘッド２３Ｋ，２３Ｙ，２３Ｍ，２３Ｃによる露光によって感光体ドラム２１Ｋ，２１Ｙ，２１Ｍ，２１Ｃの表面に静電潜像を形成した後に、感光体ドラム２１Ｋ，２１Ｙ，２１Ｍ，２１Ｃの表面にトナーを供給して静電潜像に対応するトナー像（現像剤像）を形成する現像部（現像装置）２４Ｋ，２４Ｙ，２４Ｍ，２４Ｃを有している。現像部２４Ｋ，２４Ｙ，２４Ｍ，２４Ｃは、現像剤担持体としての現像ローラ２６Ｋ，２６Ｙ，２６Ｍ，２６Ｃと、現像ローラ２６Ｋ，２６Ｙ，２６Ｍ，２６Ｃ上にトナーを供給する供給部材としての供給ローラ２５Ｋ，２５Ｙ，２５Ｍ，２５Ｃとを有している。
【００１９】
感光体ドラム２１Ｋ，２１Ｙ，２１Ｍ，２１Ｃは、アルミニウム等の金属パイプ状（円筒状）の導電性支持体と、この導電性支持体の表面を被覆する光導電層とを有している。感光体ドラム２１Ｋ，２１Ｙ，２１Ｍ，２１Ｃは、モータなどの駆動部（例えば、後述する図２における駆動部２１ａ）からの駆動力によって回転中心軸を中心にして図１の矢印方向（図１における時計回り）に回転する。
【００２０】
また、転写ローラ５０Ｋ，５０Ｙ，５０Ｍ，５０Ｃは、搬送ベルト４３を挟んで画像形成ユニット２０Ｋ，２０Ｙ，２０Ｍ，２０Ｃの感光体ドラム２１Ｋ，２１Ｙ，２１Ｍ，２１Ｃに対向して配置されている。転写ローラ５０Ｋ，５０Ｙ，５０Ｍ，５０Ｃによって、画像形成ユニット２０Ｋ，２０Ｙ，２０Ｍ，２０Ｃの感光体ドラム２１Ｋ，２１Ｙ，２１Ｍ，２１Ｃの表面に形成された現像剤像（トナー像）は、媒体搬送路に沿って走行方向Ｄ１に搬送される記録媒体Ｐの上面又は搬送ベルト４３の上面に順に転写されて、複数のトナー像が重ねられた画像（補正用パターン）が形成される。
【００２１】
図１に示されるように、定着器６０は、例えば、互いに圧接し合う１対のローラ６１，６２を有する。ローラ６１は、加熱ヒータを内蔵するヒートローラであり、ローラ６２はローラ６１に向けて押し付けられる加圧ローラである。記録媒体Ｐ上の未定着の現像剤像（トナー像）は、記録媒体Ｐが定着器６０の１対のローラ６１，６２間を通過するときに、加熱及び加圧されて記録媒体Ｐ上に定着される。
【００２２】
媒体排出部７０は、互いに圧接し合って対向する２つのローラから成る搬送ローラ対７１，７２，７３を有する。搬送ローラ対７１，７２，７３を構成するローラは、モータなどの駆動力発生部と、駆動力発生部で発生した回転駆動力を伝達する歯車などから構成される動力伝達機構とからなる駆動部に連結されており、回転して記録媒体Ｐを搬送する。
【００２３】
画像形成装置１の構成は、図１の例に限定されない。例えば、画像形成装置１は、定着器６０を通過した記録媒体Ｐを、その表裏を反転させて画像形成ユニット２０Ｋ，２０Ｙ，２０Ｍ，２０Ｃに送る媒体反転機構を備えてもよい。
【００２４】
また、搬送ベルト４３に代えて、トナー像が転写される中間転写ベルトと、中間転写ベルト上のトナー像を記録媒体上に転写する２次転写ローラとを備えてもよい。この場合には、補正用パターンは、中間転写ベルト上に形成され、記録媒体Ｐは、中間転写ベルトと２次転写ローラとの間を通過する。
【００２５】
図２は、実施の形態１に係る画像形成装置１の制御系の主要な構成を概略的に示すブロック図である。画像形成装置１は、主要な構成として、ホストコンピュータ等の外部装置９０と通信を行うための入出力部（通信部）８０と、複数の画像形成ユニット２０Ｋ，２０Ｙ，２０Ｍ，２０Ｃを含む装置全体の動作を制御する制御部８１とを有している。また、画像形成装置１は、光ヘッド２３Ｋ，２３Ｙ，２３Ｍ，２３Ｃを制御部８１からの駆動信号に基づいて駆動する（発光させる）光ヘッド駆動部８２，８３，８４，８５と、画像形成ユニット２０Ｋ，２０Ｙ，２０Ｍ，２０Ｃの感光体ドラム２１Ｋ，２１Ｙ，２１Ｍ，２１Ｃなどを駆動させる駆動部２１ａと、搬送ベルト４３を走行させる駆動ローラ４５を回転させる駆動ローラ駆動部４５ａとを有している。また、画像形成装置１は、感光体ドラム２１Ｋ，２１Ｙ，２１Ｍ，２１Ｃと、帯電ローラ２２Ｋ，２２Ｙ，２２Ｍ，２２Ｃと、現像ローラ２６Ｋ，２６Ｙ，２６Ｍ，２６Ｃと、供給ローラ２５Ｋ，２５Ｙ，２５Ｍ，２５Ｃとに電圧を印加するための電圧印加部２１ｂを有している。また、画像形成装置１は、転写ローラ５０Ｋ，５０Ｙ，５０Ｍ，５０Ｃに電圧を印加するための転写電圧印加部５０ａを有している。また、画像形成装置１は、補正用パターンを光学的に検出する検出部２８と、ユーザ指示が入力される操作部としての操作パネル２９とを有している。
【００２６】
制御部８１は、搬送ベルト４３上に画像ずれ補正（色ずれ補正）処理のための補正用パターンを形成し、検出部２８による検出の結果に基づいて光ヘッド２３Ｋ，２３Ｙ，２３Ｍ，２３Ｃの発光タイミングの制御と、光ヘッド２３Ｋ，２３Ｙ，２３Ｍ，２３Ｃにおける主走査方向の発光位置の制御とを行う。
【００２７】
次に、画像ずれ量としての色ずれ量の検出について説明する。色ずれ量の検出技術は、例えば、特開２００１−１３４０４１号公報に記載されている。
【００２８】
図３（Ａ）及び（Ｂ）は、搬送ベルト４３上に印刷される３ブロックの補正用パターンを拡大して示す平面図であり、図４（Ａ）及び（Ｂ）は、主走査方向での色ずれ量を検出するための補正用パターンの全体構成を示す平面図である。
【００２９】
図３（Ａ）にはブラックの補正用パターンが示され、図３（Ｂ）にはカラー（イエロー、マゼンタ、シアンのいずれかの色）の補正用パターンが示されている。ここでは、ブラックの補正用パターンとカラーの補正用パターンとを別々のものとして示されているが、実際には最初に、搬送ベルト４３上にブラックの補正用パターンが印刷され、次にイエロー、マゼンタ、シアンのいずれかのカラーの補正用パターンがブラックの補正用パターンの上に重ねて印刷される。図３（Ａ）及び（Ｂ）では、搬送ベルト４３は走行方向に走行され、先頭から４番目以降のブロックについては図示していない。
【００３０】
図３（Ａ）に示されるように、最初に印刷されるブラックの補正用パターンは、主走査方向に垂直に５ドット（ｄｏｔ）幅の縞状の補正用パターンがそれぞれ５ドット間隔で４本引かれたものである。４本の縞状の補正用パターンを１ブロックとして、副走査方向に一定の間隔を開けて、９ブロックの縞状の補正用パターンがベルト走行方向に直線状に配列される（図４（Ａ）及び（Ｂ）参照）。なお、各ブロックの４本の縞は、主走査方向に関してはいずれも同じ位置に配列される。
【００３１】
また、図３（Ｂ）に示されるカラーの補正用パターンでは、ブロック毎の構成自体はブラックの補正用パターンの配列と同様であり、その最も前に印刷される１ブロック目の位置ＴＬを基準にして、ブラックの補正用パターンの先頭ブロックと重なるように、副走査方向の印刷位置が設定されている。他方、カラーの補正用パターンの主走査方向における先頭ブロックの配列位置は、ブラックの補正用パターンに比べて左に４ドットだけ左にシフトした印刷位置に設定されている。そして、１ブロック目に続いて副走査方向の後方に印刷される２番目以降のブロックでは、それぞれ１つ手前のブロックに対して、１ドットだけ右にシフトした印刷位置が設定されている。
【００３２】
図４（Ａ）及び（Ｂ）に示されるように、上述した配列に設定されたブラックの縞状の補正用パターンとカラーの補正用パターンとからなる補正用パターンは、先に搬送ベルト４３上に印刷されたブラックの補正用パターンが、後から印刷されるカラーの補正用パターンによって覆われる形となり、ブラックの補正用パターンに対するカラーの補正用パターンの主走査方向での印刷位置ずれに対応して、それぞれ図４（Ａ）及び（Ｂ）に示されるように、２種類の補正用パターンの重なり合う割合がブロック毎に変化する。このように２種類の補正用パターンが重なった場合に、カラートナーと、その下敷きになっているブラックトナーは、いずれも搬送ベルト４３上では定着されていないため、カラーの補正用パターンに覆われたブラックの補正用パターンが透けて見えることはない。
【００３３】
主走査方向の印刷位置ずれがない図４（Ａ）の場合には、副走査方向の前から数えて５番目のブロックで２種類の補正用パターンが完全に重なっている。また、図４（Ｂ）は、カラーの補正用パターンの印刷位置がブラックに対して、主走査方向で左方向に２ドットだけずれている場合であり、副走査方向の前から数えて７番目のブロックで２種類の補正用パターンが完全に重なっている。このような９ブロックの補正用パターンによれば、印刷位置が１ドットずれるにしたがって、完全に重なり合う補正用パターンのブロック番号が変化するために、主走査方向での印刷位置ずれがあった場合に、その左右方向で４ドット以内の範囲であれば検出可能になる。
【００３４】
次に、副走査方向（走行方向Ｄ１）での印刷位置の補正に用いる補正用パターンについて説明する。図５（Ａ）及び（Ｂ）は、副走査方向での色ずれ量を検出するための補正用パターンを３ブロックだけ拡大して示す図であり、図６（Ａ）及び（Ｂ）は、副走査方向の補正用パターンの全体構成を示す図である。
【００３５】
図５（Ａ）にはブラックの補正用パターンが示され、図５（Ｂ）にはカラー（イエロー、マゼンタ、シアンのいずれかの色）の補正用パターンが示されているが、主走査方向での色ずれ検出のものと同様に、実際には、これらの補正用パターンが重ねて搬送ベルト上に印刷される。図５（Ａ）に示されるように、最初に印刷されるブラックのパターンは、副走査方向に垂直な５ドット幅の縞状の補正用パターンがそれぞれ５ドット間隔で４本引かれたものである。４本の縞状の補正用パターンを１ブロックとして副走査方向に一定の間隔を開けて９ブロックの縞状の補正用パターンがベルト走行方向に直線状に配列されている（図６（Ａ）及び（Ｂ）参照）。なお、各ブロックの４本の縞は、主走査方向に関してはいずれも同じ位置に配列される。
【００３６】
また、図５（Ｂ）に示されるカラーの補正用パターンでは、ブロック毎の構成自体はブラックの補正用パターンの配列と同様であり、主走査方向については、いずれのブロックでも左右方向が一致して、ブラックの補正用パターンに重なるような印刷位置が設定されている。他方、先頭ブロックの副走査方向における配列位置は、ブラックの補正用パターンに比べて副走査方向の後方に４ドットだけシフトした印刷位置に設定されている。また、２ブロック目のカラーの補正用パターンは、ブラックの補正用パターンに比べて副走査方向で後方に３ドットだけシフトした印刷位置に配列されている。同様に、副走査方向の後方に続いて印刷される各ブロックでは、それぞれ１つ手前のブロックに対して、１ドットずつシフト量が減少して、最後の９ブロック目では副走査方向の前方に４ドットシフトした印刷位置に配列されている。
【００３７】
このように配列されたブラックとカラーの縞状の補正用パターンを搬送ベルト４３上に重ねて印刷すると、ブラックの補正用パターンに対するカラーの補正用パターンの副走査方向での画像ずれ量に対応して、それぞれ図６（Ａ）及び（Ｂ）に示されるように、２種類の補正用パターンの重なり合う割合がブロック毎に変化する。副走査方向の印刷位置にずれのない図６（Ａ）の場合には、副走査方向の前から数えて５番目のブロックで２種類の補正用パターンが完全に重なっている。また、図６（Ｂ）は、カラーの補正用パターンの印刷位置がブラックに対して副走査方向で後方に２ドットずれている場合であり、副走査方向の前から数えて７番目のブロックで２種類の補正用パターンが重なっている。このような９ブロックの補正用パターンによれば、主走査方向での色ずれ検出の場合と同様に、副走査方向でも前後４ドット以内の範囲で印刷位置ずれが検出可能になる。
【００３８】
図６（Ａ）及び（Ｂ）では、副走査方向での色ずれ量を検出するために、縞が４本で１ブロックを構成した補正用パターンについて説明した。しかし、１ブロックにつき、縞が１本しかない補正用パターンであっても、同様に印刷位置ずれを検出することができる。図７（Ａ）及び（Ｂ）は、副走査方向での色ずれ量を検出する、別の補正用パターンを示す図である。１本の縞で構成されたブロックであれば、補正用パターン全体の長さを短くしても、同じ大きさの色ずれが検出できるので、色ずれ検出に費やす時間を短縮できる効果がある。
【００３９】
《１−２》実施の形態１の動作
図８（Ａ）は、比較例の画像形成装置における連続印刷中の色ずれ補正制御を示すシーケンス図であり、図８（Ｂ）は、実施の形態１に係る画像形成装置１における連続印刷中の色ずれ補正制御を示すシーケンス図である。また、図９は、実施の形態１に係る画像形成装置１の動作を示すフローチャートである。
【００４０】
図８（Ｂ）及び図９に示されるように、画像形成装置１の（例えば、図２の操作パネル２９を操作して）電源を投入すると（ステップＳ１）、画像形成装置１はイニシャル動作を開始し、色ずれ補正を実行する（ステップＳ２）。色ずれ補正では、２色の現像剤像（トナー像）である補正用パターンを被転写媒体としての搬送ベルト４３上に転写され、これら２色のトナー像の重なり具合が検出部２８で光学的に検出され、制御部８１により画像ずれ量としての色ずれ量が検出される。補正用パターンは、基準色と調整対象の色（例えば、シアン、マゼンタ、イエローのいずれか）の組み合わせで構成されている。基準色は、画像形成装置の搬送ベルト４３の最上流にある画像形成ユニットを用いる（実施の形態１においては、２０Ｋ）。
【００４１】
最初の第１プロセスでは、制御部８１は、基準色であるブラック（Ｋ）の補正用パターンとシアン（Ｃ）の補正用パターンとを搬送ベルト４３上に形成され、検出部（色ずれセンサ）２８で色ずれ量（Ｋ−Ｃ間の色ずれ量）が検出され、色ずれ量に応じた（色ずれ量を小さくする、望ましくはゼロにするように）色ずれ補正が実施されるように、画像形成ユニットの動作を制御する。
【００４２】
次の第２プロセスでは、制御部８１は、基準色であるブラック（Ｋ）の補正用パターンとマゼンタ（Ｍ）の補正用パターンとを搬送ベルト４３上に形成され、検出部（色ずれセンサ）２８で色ずれ量（Ｋ−Ｍ間の色ずれ量）が検出され、色ずれ量に応じた（色ずれ量を小さくする、望ましくはゼロにするように）色ずれ補正が実施されるように、画像形成ユニットの動作を制御する。
【００４３】
次の第３プロセスでは、制御部８１は、基準色であるブラック（Ｋ）の補正用パターンとイエロー（Ｙ）の補正用パターンとを搬送ベルト４３上に形成され、検出部（色ずれセンサ）２８で色ずれ量（Ｋ−Ｙ間の色ずれ量）が検出され、色ずれ量に応じた（色ずれ量を小さくする、望ましくはゼロにするように）色ずれ補正が実施されるように、画像形成ユニットの動作を制御する。第１から第３のプロセスの順番は、上記例に限定されない。
【００４４】
図８（ｂ）及び図９に示されるように、制御部８１は、外部装置９０から印刷指示（印刷ジョブ）が入力されると、印刷を開始する（ステップＳ３）。入力された印刷ジョブが、複数枚の印刷を連続して行う連続印刷の場合、一定枚数の印刷が実行されたときに（すなわち、連続印刷の途中で）、色ずれ補正が実行される。一定の枚数は、例えば、４００枚である。これは、電源投入の直後は、長時間スリープ状態にあった装置内部温度は低いと想定されるので、通常は、この状態で色ずれ補正が実施されると、この装置内部温度条件（低温）での最適値に色ずれ補正することになる。印刷を開始し、装置内部温度が上昇すると転写ベルト駆動用の駆動ローラ４５及び従動ローラ４４の径が変化し、直前の色ずれ補正値では、最適な印刷結果を得られなくなる可能性が高い。このため連続印刷途中（約４００枚程度）のところで色ずれ補正が実施されることになる。
【００４５】
ステップＳ４では、前回の補正動作（後述する色ずれ補正又は簡易色ずれ補正）から印刷カウントが４００枚に達したかを判断し、４００枚に達した場合（ステップＳ４においてＹＥＳ）、ステップＳ５に進む。ステップＳ５では、基準色であるブラック（Ｋ）の補正用パターンとシアン（Ｃ）の補正用パターンとの間の色ずれ量（Ｋ−Ｃ間の色ずれ量）をチェックして、ステップＳ６において色ずれ量が予め定められた所定値以上であるか、予め定めされた所定値未満であるかを判断する。色ずれ量が所定値以上である場合（ステップＳ６においてＮＯ）、ステップＳ７に進む。色ずれ量が所定値未満である場合（ステップＳ６においてＹＥＳ）、ステップＳ８に進む。
【００４６】
検出連続印刷開始（図８（Ｂ）における時刻ｔ０）から数えて１回目の色ずれ補正（時刻ｔ１）における色ずれ量の検出では、通常は、色ずれ量が大きく検出されるので、ステップＳ６の判断は通常はＮＯになり、ステップＳ７における通常の色ずれ補正（上記第１から第３プロセスを含む）が実行される。この場合、ステップＳ５において上記第１プロセスが実行され、上記ステップＳ７において上記第２プロセスと第３プロセスが実行され、各色の画像形成ユニットの動作が制御される。ステップＳ５、ステップＳ６の判断がＮＯ、及びステップＳ７の処理を、「通常色ずれ補正」とも言う。
【００４７】
連続印刷開始（図８（Ｂ）における時刻ｔ０）から数えて２回目以降の色ずれ補正（時刻ｔ２、ｔ３）における色ずれ量の検出（ステップＳ５）では、装置内部温度が飽和しているため（温度がほぼ定常状態にあるため）、色ずれ量は１回目に比べて小さくなる傾向があるので、ステップＳ６の判断は通常はＹＥＳになり、ステップＳ７の色ずれ補正を実行しない。この場合、ステップＳ５において上記第１プロセスが実行されるが、上記第２プロセスと第３プロセスは実行されず、各色の画像形成ユニットの動作の変更も行われない。ステップＳ５及びステップＳ６の判断がＹＥＳの処理を、「簡易色ずれ補正」とも言う。
【００４８】
色ずれ量の大小にかかわらず、１回あたりの色ずれ補正に要する時間は、数十秒程度である。このため、この間は、記録媒体への印刷を行うことができない。図３（Ａ）の比較例では、検出された色ずれ量が十分に小さく、通常色ずれ補正が必要では無い場合であっても、通常色ずれ補正を実行しているので、連続印刷の印刷効率（印刷速度）が低下し、時間ロスが大きい。
【００４９】
そこで、実施の形態１においては、図８（Ｂ）に示されるように、連続印刷中に一定枚数ごとに通常色ずれ補正を必ず実施するわけではなく、色ずれ量が所定の所定値未満である場合には、通常色ずれ補正を行わない（すなわち、簡易色ずれ補正動作を適用する）。簡易色ずれ補正とは、図８（Ａ）に示される比較例における色ずれ補正に対して色ずれ量を計測する色の組み合わせ数を減らす制御である。図８（Ａ）に示される比較例における色ずれ補正は、ブラック（Ｋ）の補正用パターンとシアン（Ｃ）の補正用パターンとの間の色ずれ検出及び色ずれ補正（Ｋ−Ｃ色ずれ検出及び補正）と、ブラック（Ｋ）の補正用パターンとマゼンタ（Ｍ）の補正用パターンとの間の色ずれ検出及び色ずれ補正（Ｋ−Ｍ色ずれ検出及び補正）と、ブラック（Ｋ）の補正用パターンとイエロー（Ｙ）の補正用パターンとの間の色ずれ検出及び色ずれ補正（Ｋ−Ｙ色ずれ検出及び補正）とを実施する。
【００５０】
これに対し、図８（Ｂ）に示される実施の形態１における処理は、制御部８１は、基準色Ｋと色Ｃとの間の色ずれ量を検出し、通常色ずれ補正を行うか（ステップＳ６においてＮＯ）否か（ステップＳ６においてＹＥＳ）を判断する。言い換えれば、複数の画像形成ユニットの内の最上流である基準色Ｋの画像形成ユニットと、最下流であるシアン（Ｃ）の画像形成ユニットとの間の色ずれ量を検出し（ステップＳ５）、Ｋ−Ｃ間の色ずれ量が予め定められた所定値より小さければ通常色ずれ補正（ステップＳ７）を実施せずに、直ちに次の印刷を開始する。予め定められた所定値とは、例えば、色ずれ量スペック値の半分の値である。ステップＳ５の色ずれ量のチェックにおいて、色ずれ量スペックの半分以上の場合は、Ｋ−Ｙ間の色ずれ量とＫ−Ｍ間の色ずれ量を検出し、通常色ずれ補正動作を実行する。
【００５１】
実際に、画像形成装置１が大量の連続印刷を行っているときには、装置の内部温度は、室温より高い温度でほぼ飽和状態となり、駆動系の寸法の時間変化が小さくなることが想定される。このとき、前回の色ずれ補正から今回の規定連続枚数（４００枚）に達したときにおける色ずれ量の時間変化は、ほとんど無いことが期待できる。よって、Ｋ−Ｃ間の色ずれ検出のみを行う簡易色ずれ補正における色ずれ量が所定値（規定値）以下であれば、比較的長い時間を要する通常色ずれ補正を行う必要はなく、印刷動作を直ぐに再開することができるので、時間ロスを減らし、印刷物の生産性を向上させることができる。
【００５２】
制御部８１は、色ずれ量が所定値未満（色ずれスペックの半値未満）であれば、通常色ずれ補正（ステップＳ７）を実行せずに、処理をステップＳ８へ進める。一方で、制御部８１は、所定値以上となる場合は、通常色ずれ補正動作を実行し、その後、処理をステップＳ８に進め、印刷が完了かどうかを判断し、終了であれば処理を終了し、終了していなければ、処理をステップＳ４に戻す。
【００５３】
《１−３》実施の形態１の効果
以上に説明したように、実施の形態１に係る画像形成装置１によれば、色ずれ補正を実行するタイミングにおいて（例えば、４００枚の印刷の度に）、一番条件の厳しいＫ−Ｃ間（最も離れた２つの画像形成ユニット間）の色ずれ量のみを計測し、これが規定値以下であれば通常色ずれ補正をスキップする（図８（ｂ）及び図９のステップＳ６においてＹＥＳ）。これにより、大量の連続印刷を実行しているときに、印刷を実行することができない時間、すなわち、時間ロスが短くなり、印刷の効率（印刷物の生産性）が向上するという効果が得られる。
【００５４】
《２》実施の形態２
図１０は、本発明の実施の形態２に係る画像形成装置１００の概略構成を示す断面図である。図１１は、実施の形態２に係る画像形成装置１００の概略構成を示す斜視図である。図１２は、実施の形態２に係る画像形成装置１００の概略構成を示す断面図である。図１０、図１１，及び図１２において、図１に示される構成要素と同一又は対応する構成要素には、図１に示される符号と同じ符号を付す。
【００５５】
実施の形態２に係る画像形成装置１００は、筐体２の開口部を開閉する開閉部材としての第１のカバー１７１を備えている点において、実施の形態１に係る画像形成装置１と相違する。図１１及び図１２に示されるように、実施の形態２に係る画像形成装置１００は、開口部を有し、装置本体に装着された複数の画像形成ユニットを収容する筐体２と、開口部を開状態及び閉状態のいずれかの状態にする開閉部材としての第１のカバー１７１とを備えている。開状態の開口部は、ブラックの画像形成ユニットを開口部を通して装置本体に着脱可能にし、ブラック以外の画像形成ユニットを装置本体に着脱可能にしない形状を持つ。この点を除き、実施の形態２は、実施の形態１と同じである。
【００５６】
外部カバー部１７０は、装置本体１０１をカバーする部分である。外部カバー部１７０は、第１のカバー１７１と、第２のカバー１７２とを有する。具体的には、画像形成装置１００には、画像形成装置１００（又は装置本体１０１）の上部を分割して開閉可能な２つのカバー１７１，１７２が設けられている。
【００５７】
第１のカバー１７１は、複数のトナーカートリッジ２７Ｋ，２７Ｙ，２７Ｍ，２７Ｃのうちの特定のトナーカートリッジ２７Ｋを覆い、特定のトナーカートリッジ２７Ｋの着脱が可能となるように開放可能なカバーである。具体的には、第１のカバー１７１は、装置本体１０１に開閉可能に設けられ、閉状態において特定のトナーカートリッジ２７Ｋを覆い、開状態において特定のトナーカートリッジ２７Ｋの着脱を可能にするように構成されている。
【００５８】
本例では、特定のトナーカートリッジは、使用頻度が最も高いブラックのトナーカートリッジ２７Ｋであり、図１１及び図１２に示されるように、第１のカバー１７１が開くことで、ブラックのトナーカートリッジ２７Ｋだけが着脱可能となる。
【００５９】
また、第１のカバー１７１は、閉状態において装置上部及び装置側部（又は装置垂直面部）を覆い、開状態において装置上部及び装置側部を開放するように構成されている。ここで、装置上部及び装置側部とは、画像形成装置１００又は装置本体１０１の上部及び側部である。
【００６０】
また、第１のカバー１７１は、閉状態において搬送部１３０を覆い、開状態において搬送部１３０を開放するように構成されている。
【００６１】
具体的には、第１のカバー１７１は、装置上部及び装置前面部を覆うように断面がＬ字形状のカバーであり、装置の前方側へ開くことにより、装置上部及び装置前面部を開放し、トナーカートリッジ２７Ｋ（又は画像形成ユニット２０Ｋ）及び搬送部１３０を露出させる。より具体的には、第１のカバー１７１は、装置本体１０１に対して回転可能に取り付けられ、回転動作により開閉するように構成されている。図１０及び図１１では、第１のカバー１７１は、装置本体１０１の前側下端部に配置され左右方向に延びる回転軸１０１ａ周りに回転可能に支持されている。
【００６２】
第２のカバー１７２は、複数のトナーカートリッジ２７Ｋ，２７Ｙ，２７Ｍ，２７Ｃのうちの上記特定のトナーカートリッジ２７Ｋ以外のトナーカートリッジ２７Ｙ，２７Ｍ，２７Ｃ（他のトナーカートリッジ）を覆い、他のトナーカートリッジ２７Ｙ，２７Ｍ，２７Ｃの着脱が可能となるように開放可能なカバーである。具体的には、第２のカバー１７２は、装置本体１０１に開閉可能に設けられ、閉状態において他のトナーカートリッジ２７Ｙ，２７Ｍ，２７Ｃを覆い、開状態において他のトナーカートリッジの着脱を可能にするように構成されている。
【００６３】
具体的には、第２のカバー１７２は、装置上部を覆うカバーであり、装置の上方側へ開くことにより、装置上部を開放し、トナーカートリッジ２７Ｙ，２７Ｍ，２７Ｃ（又は画像形成ユニット２０Ｙ，２０Ｍ，２０Ｃ）を露出させる。より具体的には、第２のカバー１７２は、装置本体１０１に対して回転可能に取り付けられ、回転動作により開閉するように構成されている。図１０から図１２では、第２のカバー１７２は、装置本体１０１の後側上端部に配置され左右方向に延びる回転軸１０１ｂ周りに回転可能に支持されている。
【００６４】
また、第２のカバー１７２は、第２のカバー１７２の閉状態において画像形成ユニット２０Ｋ，２０Ｙ，２０Ｍ，２０Ｃを固定し、第２のカバー１７２の開状態において画像形成ユニット２０Ｙ，２０Ｍ，２０Ｃの固定状態を解除する固定手段を有する。具体的には、第２のカバー１７２には、画像形成ユニット２０Ｋ，２０Ｙ，２０Ｍ，２０Ｃにより現像される潜像を形成するプリントヘッドが保持され、当該プリントヘッドは、第２のカバー１７２の閉状態において画像形成ユニット２０Ｋ，２０Ｙ，２０Ｍ，２０Ｃに係合し、第２のカバー１７２の開状態において画像形成ユニット２０Ｋ，２０Ｙ，２０Ｍ，２０Ｃから離間し、上記固定手段として機能する。より具体的には、第２のカバー１７２には、プリントヘッドとして、４つの画像形成ユニット２０Ｋ，２０Ｙ，２０Ｍ，２０Ｃのそれぞれに対応する同数の光ヘッド２３Ｋ，２３Ｙ，２３Ｍ，２３Ｃが、それぞれヘッドホルダ１１７を介して保持されている。各ヘッドホルダ１１７は、第２のカバー１７２に回転支点１７２ａで保持されており、第２のカバー１７２に対して規制された範囲内で回転が可能となっている。
【００６５】
印刷が繰り返されると、トナーカートリッジの内部の現像剤が徐々に消費される。ブラックのトナーカートリッジ２７Ｋの内部の現像剤が消費されトナーカートリッジ２７Ｋの交換が必要となった場合、画像形成装置１００は、使用者に対してブラックのトナーカートリッジ２７Ｋの交換を促すメッセージを情報表示部１８２に出力し、装置の動作を一時的に停止させる。この場合、使用者は、図１１及び図１２に示されるように、第１のカバー１７１を開ける。これにより、ブラックのトナーカートリッジ２７Ｋだけが開放される。次に、使用者は、ブラックのトナーカートリッジ２７Ｋを交換し、第１のカバー１７１を閉じる。ここで、第１のカバー１７１は、従来のような４つの画像形成ユニット全体を覆うカバーと比較して小さいサイズに抑えられており、第１のカバー１７１の開閉は、従来のカバーの開閉よりも容易に行うことができる。
【００６６】
Ｙ，Ｍ，Ｃ色のトナーカートリッジ２７Ｙ，２７Ｍ，２７Ｃの交換が必要となった場合には、使用者は、図１１に示されるように第１のカバー１７１を開けた後、図１２に示される第２のカバー１７２を開け、目的のトナーカートリッジを交換する。交換後、使用者は、第２のカバー１７２を閉じ、次に第１のカバー１７１を閉じる。ここで、第２のカバー１７２は、従来のような４つの画像形成ユニット全体を覆うカバーと比較して小さいサイズに抑えられており、第２のカバー１７２の開閉は、従来のカバーの開閉よりも容易に行うことができる。
【００６７】
搬送部１３０で記録媒体のジャムが発生した場合、使用者は、第１のカバー１７１を開け、搬送部１３０を開放し、詰まった記録媒体Ｐを取り除く。すなわち、第１のカバー１７１は、ブラックのトナーカートリッジ２７Ｋを交換するときに開けられるカバーとして用いられるほか、記録媒体のジャムを解除するときに開けられるカバーとしても用いられる。
【００６８】
以上説明した実施の形態２によれば、画像形成装置１００は、複数のトナーカートリッジのうちの特定のトナーカートリッジを覆い、当該特定のトナーカートリッジの着脱が可能となるように開放可能な第１のカバー１７１と、他のトナーカートリッジを覆い、当該他のトナーカートリッジの着脱が可能となるように開放可能な第２のカバー１７２とを備える。実施の形態２によれば、複数のトナーカートリッジ全体を覆うカバーを備える構成と比較して、カバーの大きさを小さくすることができ、これにより、トナーカートリッジの交換時におけるカバーの開閉動作を小さくすることができる。これにより、例えば、トナーカートリッジの交換時におけるカバーの開閉動作を容易化することができ、トナーカートリッジの交換の際の作業負荷を軽減することができる。
【００６９】
《３》変形例
上記説明では、電子写真プリンタを例に説明してきたが、本発明は、スキャナ又はファクシミリ機能を備えた複合機についても適用可能である。
【００７０】
また、本発明は、現像剤像が転写される被転写媒体としての中間転写ベルトと、中間転写ベルト上の現像剤上を記録媒体上に転写させる２次転写部とを有する装置にも適用可能である。
【符号の説明】
【００７１】
１  画像形成装置、  ２  筐体、  １０  媒体供給部、  １１  媒体カセット（用紙カセット）、  １２  分離ローラ（ホッピングローラ）、  ２０Ｋ，２０Ｙ，２０Ｍ，２０Ｃ  画像形成ユニット、  ２１Ｋ，２１Ｙ，２１Ｍ，２１Ｃ  感光体ドラム、  ２３Ｋ，２３Ｙ，２３Ｍ，２３Ｃ  光ヘッド（露光ヘッド）、  ２４Ｋ，２４Ｙ，２４Ｍ，２４Ｃ  現像部、  ２５Ｋ，２５Ｙ，２５Ｍ，２５Ｃ  供給ローラ、  ２６Ｋ，２６Ｙ，２６Ｍ，２６Ｃ  現像ローラ、  ２７Ｋ，２７Ｙ，２７Ｍ，２７Ｃ  トナーカートリッジ、  ２８  検出部、  ４０  搬送部、  ４１，４２  搬送ローラ対、  ４３  搬送ベルト（転写ベルト）、  ４４  テンションローラ（従動ローラ）、  ４５  駆動ローラ、  ４６  クリーニングブレード、  ４７  廃棄トナータンク、  ５０Ｋ，５０Ｙ，５０Ｍ，５０Ｃ  転写ローラ（転写部）、  ６０  定着器、  ７０  媒体排出部（排紙部）、  ８０  入出力部（通信部）、  ８１  制御部、  ８２，８３，８４，８５  光ヘッド駆動部、  ９０  外部装置、  １７１第１のカバー（開閉部材）、  １７２  第２のカバー、  Ｐ  記録媒体。
【図１】
2017211522.tif 000003
【図２】
2017211522.tif 000004
【図３】
2017211522.tif 000005
【図４】
2017211522.tif 000006
【図５】
2017211522.tif 000007
【図６】
2017211522.tif 000008
【図７】
2017211522.tif 000009
【図８】
2017211522.tif 000010
【図９】
2017211522.tif 000011
【図１０】
2017211522.tif 000012
【図１１】
2017211522.tif 000013
【図１２】
2017211522.tif 000014